(57)【要約】【課題】部品点数を増やすことなく、サブコネクタハウジングの半挿入状態を検知する。【解決手段】サブコネクタ３０の側面には、ハウジング本体１１における収容部１２の誤挿入防止溝２３に嵌め込み可能な誤挿入防止リブ３７が突設され、リテーナ４０には誤挿入防止溝２３に進入可能な検知リブ４３が設けられている。サブコネクタ３０が半挿入状態の場合には、リテーナ４０を規制位置に組み付ける過程でサブコネクタ３０の誤挿入防止リブ３７がリテーナ４０の検知リブ４３に干渉することでリテーナ４０の組み付けが規制され、これによりサブコネクタ３０の半挿入状態を検知できる。既存の構成であるリテーナ４０を利用するため、部品点数を増やすことなく、サブコネクタ３０の半挿入状態を検知できる。【選択図】図８
2008226860.tif 000002
【特許請求の範囲】
【請求項１】
端子金具を装着可能なキャビティ群と、前記キャビティ群の側方に配された収容部とが設けられたハウジング本体と、
同じく端子金具を装着可能なキャビティが設けられかつ前記収容部内に装着可能なサブコネクタハウジングと、
前記ハウジング本体に対し、前記サブコネクタハウジングの装着方向と交差する方向に差し込まれることで、前記キャビティ群と対応するように組み付けられるリテーナとを備え、
前記リテーナは、差込み深さが浅くて前記キャビティに対する前記端子金具の挿抜を許容する仮係止位置と、差込み深さが前記仮係止位置よりも深くて前記キャビティに挿入された前記端子金具に対して抜止め状態に係止する規制位置との間での移動を可能とされている分割コネクタであって、
前記サブコネクタハウジングには、その外側面から突出した形態の誤挿入防止リブが形成され、
前記収容部の内側面には、前記誤挿入防止リブを嵌め込み可能な誤挿入防止溝が前記サブコネクタハウジングの装着方向に沿って形成され、
前記リテーナには、その外側面から突出した形態であって、前記リテーナが前記仮係止位置にあるときには前記誤挿入防止溝から退避し、前記リテーナが前記規制位置にあるときには前記誤挿入防止溝内に進出する検知部が形成され、
前記サブコネクタハウジングが前記収容部内における正規の装着位置にあるときには、前記誤挿入防止溝内の前記誤挿入防止リブが前記検知部と非干渉となることで前記リテーナの前記規制位置への組み付けが許容され、
前記サブコネクタハウジングが正規の装着位置から後退した位置にあるときには、前記誤挿入防止溝内において前記誤挿入防止リブが前記検知部に干渉することで前記リテーナの前記規制位置への組み付けが規制されるようにしたことを特徴とする分割コネクタ。
【請求項２】
前記リテーナは、格子状の本体部と、この本体部の側縁に配された側壁部とを備えて構成され、
前記検知部が、前記側壁部の外側面から突出した形態であることを特徴とする請求項１に記載の分割コネクタ。
【請求項３】
前記ハウジング本体及び前記リテーナは、相手コネクタの嵌合部内に嵌合可能とされるとともに、それぞれの外面に誤結防止リブが設けられており、
前記リテーナが前記ハウジング本体に対し前記規制位置にあるときには双方の誤結防止リブが嵌合方向に沿って並んで、ともに前記嵌合部に設けられた溝部に嵌め込み可能とされ、
前記リテーナが非規制位置にあるときには、前記リテーナ側の誤結防止リブが前記ハウジング本体側の誤結防止リブに対して位置ずれして、前記相手コネクタへの嵌合の過程において前記嵌合部に干渉することで嵌合動作を規制するようにしたことを特徴とする請求項１または請求項２に記載の分割コネクタ。
【発明の詳細な説明】
【技術分野】
【０００１】
本発明は、分割コネクタに関する。
【背景技術】
【０００２】
多極のコネクタでは、端子金具をコネクタへ挿入する際の作業性を確保する等の理由から、分割式のコネクタが一部で使用されている（例えば特許文献１参照）。この分割コネクタは、例えば、端子金具が収容される複数のキャビティがハウジング本体とこれと別体のサブコネクタハウジングとに分かれて設けられており、サブコネクタハウジングがハウジング本体に設けた収容部内に収容されるような構成になっている。
【特許文献１】特開２０００−３３１７３８公報
【発明の開示】
【発明が解決しようとする課題】
【０００３】
このような分割コネクタでは、組み付け作業中に誤ってサブコネクタハウジングが正規の装着位置に至らない半挿入状態のままで留め置かれることがある。従来のこのようなコネクタの多くは、サブコネクタハウジングの半挿入状態を検知するための手段を特に設けていなかった。また、半挿入状態を検知するための手段を設けたものでも、従来の構成に新たに検知部材を付加したものであったため、部品点数が増加してコストアップを招くという問題があった。
本発明は上記のような事情に基づいて完成されたものであって、部品点数を増やすことなく、サブコネクタハウジングの半挿入状態を検知することの可能な分割コネクタを提供することを目的とする。
【課題を解決するための手段】
【０００４】
上記の目的を達成するための手段として、請求項１の発明は、端子金具を装着可能なキャビティ群と、前記キャビティ群の側方に配された収容部とが設けられたハウジング本体と、同じく端子金具を装着可能なキャビティが設けられかつ前記収容部内に装着可能なサブコネクタハウジングと、前記ハウジング本体に対し、前記サブコネクタハウジングの装着方向と交差する方向に差し込まれることで、前記キャビティ群と対応するように組み付けられるリテーナとを備え、前記リテーナは、差込み深さが浅くて前記キャビティに対する前記端子金具の挿抜を許容する仮係止位置と、差込み深さが前記仮係止位置よりも深くて前記キャビティに挿入された前記端子金具に対して抜止め状態に係止する規制位置との間での移動を可能とされている分割コネクタであって、前記サブコネクタハウジングには、その外側面から突出した形態の誤挿入防止リブが形成され、前記収容部の内側面には、前記誤挿入防止リブを嵌め込み可能な誤挿入防止溝が前記サブコネクタハウジングの装着方向に沿って形成され、前記リテーナには、その外側面から突出した形態であって、前記リテーナが前記仮係止位置にあるときには前記誤挿入防止溝から退避し、前記リテーナが前記規制位置にあるときには前記誤挿入防止溝内に進出する検知部が形成され、前記サブコネクタハウジングが前記収容部内における正規の装着位置にあるときには、前記誤挿入防止溝内の前記誤挿入防止リブが前記検知部と非干渉となることで前記リテーナの前記規制位置への組み付けが許容され、前記サブコネクタハウジングが正規の装着位置から後退した位置にあるときには、前記誤挿入防止溝内において前記誤挿入防止リブが前記検知部に干渉することで前記リテーナの前記規制位置への組み付けが規制されるようにしたところに特徴を有する。
【０００５】
請求項２の発明は、請求項１に記載のものにおいて、前記リテーナは、格子状の本体部と、この本体部の側縁に配された側壁部とを備えて構成され、前記検知部が、前記側壁部の外側面から突出した形態であるところに特徴を有する。
【０００６】
請求項３の発明は、請求項１または請求項２に記載のものにおいて、前記ハウジング本体及び前記リテーナは、相手コネクタの嵌合部内に嵌合可能とされるとともに、それぞれの外面に誤結防止リブが設けられており、前記リテーナが前記ハウジング本体に対し前記規制位置にあるときには双方の誤結防止リブが嵌合方向に沿って並んで、ともに前記嵌合部に設けられた溝部に嵌め込み可能とされ、前記リテーナが非規制位置にあるときには、前記リテーナ側の誤結防止リブが、前記ハウジング本体側の誤結防止リブに対して位置ずれして、前記相手コネクタへの嵌合の過程において前記嵌合部に干渉することで嵌合動作を規制するようにしたところに特徴を有する。
【発明の効果】
【０００７】
＜請求項１の発明＞
サブコネクタハウジングが半挿入状態の場合には、リテーナを規制位置に組み付ける過程でサブコネクタハウジングがリテーナに干渉することでリテーナの組み付けが規制され、サブコネクタハウジングが半挿入状態であることが検知される。既存の構成であるリテーナを利用するため、部品点数を増やすことなく、サブコネクタハウジングの半挿入状態を検知できる。
【０００８】
また、サブコネクタハウジングが半挿入状態の場合には、リテーナを規制位置に組み付ける過程でサブコネクタハウジングの誤挿入防止リブがリテーナの検知部に干渉することでリテーナの組み付けが規制され、これによりサブコネクタハウジングの半挿入状態を検知できる。既存の構成である誤挿入防止リブ及び誤結防止溝を利用するため、大きな設計変更をしなくて済む。
【０００９】
＜請求項３の発明＞
ハウジング本体及びリテーナには、相手の嵌合部に設けられた溝部に嵌め込み可能な誤結防止リブがそれぞれ設けられており、リテーナが規制位置にないときは、リテーナの誤結防止リブがハウジング本体の誤結防止リブに対して位置ずれして、嵌合動作に伴って相手の嵌合部に干渉することで嵌合動作が規制される。これにより、サブコネクタハウジングが半挿入状態にあるためにリテーナが本係止位置に押し込まれていなかった場合等に、リテーナが本係止位置にないことを確実に検知できる。
【発明を実施するための最良の形態】
【００１０】
本発明の一実施形態を図１から図１５を参照して説明する。
本実施形態の雌コネクタ１０（本発明の「分割コネクタ」に相当）は、図１に示すように、ハウジング本体１１と、このハウジング本体１１内に収容されるサブコネクタハウジング３０（以下、「サブコネクタ」という）と、ハウジング本体１１の下部に取り付けられる一対のリテーナ４０とを備えて構成されており、雄コネクタ５０（本発明の「相手コネクタ」に相当）と嵌合されるようになっている。なお、以下の説明においては、雌雄両コネクタ１０，５０について、互いに相手側と嵌合する側を前方とする。
【００１１】
ハウジング本体１１は、合成樹脂製であって、図２から図４に示すように、全体としては横長の箱形をなしており、その左右方向の中央に後方に開放した収容部１２が形成され、ここに後述するサブコネクタ３０を収容可能となっている。この収容部１２の前面（奥面）は、サブコネクタ３０の前止まりとなる前面壁１３で覆われるとともに、この前面壁１３には、サブコネクタ３０の各キャビティ３２に対応した位置にそれぞれタブ挿通孔１３Ａが貫通して形成されている。また、ハウジング本体１１の収容部１２を挟んで左右両側には、雌端子金具１５が直接に挿入される複数のキャビティ１６が上下２段、かつ上下対称に形成されている。雌端子金具１５は、前部に弾性接触片１５Ａを備えており、この弾性接触片１５Ａと対向面に突設された受け部１５Ｂとの間に雄端子金具５３のタブ部５３Ａを受け入れることで、雌雄両端子金具１５，５３の導通が取られるようになっている。また、各キャビティ１６の前端には、雌端子金具１５の前止まりとなる前壁１７が設けられ、ここにはタブ挿通孔１７Ａが貫通して形成されている。なおキャビティ１６の前壁１７と前面壁１３とは前端で一致しており、かつキャビティ１６の前壁１７の厚さ寸法は前面壁１３の厚さ寸法よりやや大きくされている（図１３参照）。また、各キャビティ１６の底面には、前端寄り位置に前後両端が支持された両持ち梁状のランス１８が設けられている。このランス１８は、上下に撓み変形可能とされ、挿入された雌端子金具１５がこのランス１８により一次係止されるようになっている。さらに、ハウジング本体１１の下部には、左右両側のキャビティ１６群に対応した位置でかつ前後方向の中央付近に一対のリテーナ装着孔１９が設けられ（図１参照）、これらにそれぞれリテーナ４０が下方から装着されるようになっている。また、ハウジング本体１１の上面における左右方向の中央には、上下に撓み変形可能なロックアーム２１が片持ち状に形成されている。
【００１２】
サブコネクタ３０は、同じく合成樹脂製であって、図３から図５に示すように、横長の箱形をなし、ハウジング本体１１の収容部１２に対し後方から収容可能とされている。サブコネクタ３０の内部には、雌端子金具３１が挿入される複数のキャビティ３２が上下２段に形成されている。雌端子金具３１は、前部に弾性接触片３１Ａを備えており、この弾性接触片３１Ａと対向面に突設された受け部３１Ｂとの間に雄端子金具５３のタブ部５３Ａを受け入れることで、雌雄両端子金具３１，５３の導通が取られるようになっている。この雌端子金具３１は、ハウジング本体１１に直接収容される雌端子金具１５と同一種類のものであり、雌端子金具１５の本数と雌端子金具３１の本数はちょうど等しく（図示２０本ずつ）されている。各キャビティ３２の前端には、雌端子金具３１の前止まりとなる前壁３３が形成され、その前壁３３には各キャビティ３２に対応した位置にタブ挿通孔３３Ａが開口されている。また、各キャビティ３２内には、前端寄り位置に前後両端が支持された両持ち梁状のランス３４が設けられている。このランス３４は、上下方向に撓み変形可能とされ、挿入された雌端子金具３１がこのランス３４により一次係止されるようになっている。さらに、サブコネクタ３０の上下面には、開閉可能な一体型リテーナ３５が薄肉状のヒンジ部３５Ａ（図９を併せて参照）を介して一体に設けられている。この一体型リテーナ３５を開放させた状態では、各キャビティ３２に対する雌端子金具３１の挿抜が許容され、一体型リテーナ３５を閉じた状態では各キャビティ３２内の雌端子金具３１が抜け止め状態に二重係止されるようになっている。
【００１３】
なお収容部１２の前面壁１３の厚さ寸法とサブコネクタ３０におけるキャビティ３２の前壁３３の厚さ寸法とを加えた大きさは、ハウジング本体１１におけるキャビティ１６の前壁１７の厚さ寸法よりも寸法ｄだけ大きくなるように設定されている。そのため、図１３に示すように、サブコネクタ３０をその前壁１７がハウジング本体１１の前面壁１３に突き当たる正規の装着位置まで挿入したときに、サブコネクタ３０のキャビティ３２に収容される雌端子金具３１の位置がハウジング本体１１に収容される雌端子金具１５の位置よりも寸法ｄだけ後方にずれている。
【００１４】
リテーナ４０は、同じく合成樹脂製であって、図１，図６，図７に示すように、格子状の本体部４１と、この本体部４１の左右両側端から前後方向に延出した板状の側壁部４２とを備えている。リテーナ４０は、両側壁部４２の上端内面側に設けられた係止爪４２Ａを、ハウジング本体１１に各リテーナ装着孔１９に面して設けられた係止突起２２Ａ，２２Ｂに係合させることで、差し込み深さの浅い仮係止位置（図６（Ａ）参照）と、差し込み深さの深い本係止位置（本発明の「規制位置」に相当、図６（Ｂ）参照）とに保持可能とされている。仮係止位置においては、リテーナ４０の本体部４１がキャビティ１６より退避して雌端子金具１５の挿抜が許容され、本係止位置においては本体部４１の一部がキャビティ１６内に進出して雌端子金具１５に抜け止め状態で係止するようになっている。
【００１５】
一方、サブコネクタ３０の左右両側面下部には、前端寄り位置にハウジング本体１１への挿入方向（前後方向）に沿った誤挿入防止リブ３７が突設されている（図８参照）。また、ハウジング本体１１には、収容部１２の内側面下部に、誤挿入防止リブ３７の進入可能な誤挿入防止溝２３が前後方向に沿って形成されており（図４参照）、これらの誤挿入防止リブ３７と誤挿入防止溝２３とによりサブコネクタ３０の誤挿入（上下反転した姿勢での挿入等）が規制されるようになっている。また、各リテーナ４０における収容部１２側の側壁部４２の外面下部には、前後方向に沿った検知リブ４３（本発明の「検知部」に相当）が突設されている（図６，図８参照）。この検知リブ４３は、リテーナ４０が本係止位置にあるときには一部が誤挿入防止溝２３内に進出し（図６（Ｂ）参照）、仮係止位置にあるときには全体が誤挿入防止溝２３から退避する（図６（Ａ）参照）ようになっている。また、サブコネクタ３０の誤挿入防止リブ３７は、サブコネクタ３０が正規の装着位置にあるときにはリテーナ４０の検知リブ４３と干渉せず（図８（Ｂ）参照）、従ってリテーナ４０の仮係止位置から本係止位置までの間の移動を妨げないが、サブコネクタ３０が正規の装着位置よりも後退した位置にあるときには、検知リブ４３と干渉してリテーナ４０が本係止位置まで押し込めない（図８（Ａ）参照）ようになっている。
【００１６】
ハウジング本体１１の収容部１２における左右両内側面上部には、図９から図１１に示すように、板状をなした一対のロック片２６が互いに斜め後方内側へ向けて延出して形成されている。各ロック片２６は、左右方向に撓み変形可能とされており、その先端には、収容部１２の内側へ向かうにつれて僅かに後方に突出するように傾斜したいわゆる逆テーパ状の係止面２６Ａが形成されている。
一方、サブコネクタ３０の両側面における上部前端には、上下一対に分割されたロック突起３８が形成されており、上下のロック突起３８間には前後方向に沿った溝部３９が形成されている。各ロック突起３８の前面側には、なだらかに傾斜した案内面３８Ａが形成されており、その後面側には先端側へ向かうにつれて僅かに後方へ張り出すように傾斜したいわゆる逆テーパ状の被係止面３８Ｂが形成され、この係止面３８Ｂにロック片２６の係止面２６Ａが係合可能となっている。また、ロック片２６の係止面２６Ａにおける上下方向の中央には解除用突起２７が突出して形成されており、係止面２６Ａがロック突起３８の係止面３８Ｂに係合したときにこの解除用突起２７が上下のロック突起３８の中間に入り込むようになっている。この解除用突起２７には、収容部１２側に傾斜しかつ丸みを帯びた凸面状をなす誘い込み面２７Ａが形成されており、後述のように、ロック片２６がロック突起３８に係合した状態で、誘い込み面２７Ａとサブコネクタ３０の側面との間に治具Ｊの先端を差し込むことで、ロック片２６を係止解除方向に撓み変形させることができるようになっている。なおハウジング本体１１の前面壁１３には、ロック片２６の前方位置に治具Ｊを挿入可能な解除操作窓２８が開口している。図１０に示すように、ロック片２６とロック突起３８との間には、前後方向及び上下方向について所定のクリアランスＣ１，Ｃ２が設けられており、これらのクリアランスＣ１，Ｃ２は、ともにサブコネクタ３０と収容部１２の内壁との間に設けられたクリアランスよりも大きくなるように設定されている。
【００１７】
また、図７に示すように、ハウジング本体１１の左右両側面下部には、雄コネクタ５０に対する嵌合方向（前後方向）に沿って誤結防止リブ２９が突設されている。この誤結防止リブ２９は、リテーナ装着孔１９を挟んで前後一対に分かれて形成されている。一方、各リテーナ４０の外側の側壁部４２の外面には、前後方向に沿った誤結防止リブ４４が突設されており、リテーナ４０が本係止位置に装着されたときにはこの誤結防止リブ４４がハウジング本体１１側の誤結防止リブ２９とともに嵌合方向に沿ってほぼ一列に並び、リテーナ４０が仮係止位置にあるときにはこの誤結防止リブ４４がハウジング本体１１側の誤結防止リブ２９に対し下方に位置ずれするようになっている。
【００１８】
一方、雄コネクタ５０は、図７，図１２，図１３に示すように、合成樹脂製の雄ハウジング５１を備えている。雄ハウジング５１の前面には、左右方向に広いフード状の嵌合部５２が設けられ、この内側に雌コネクタ１０を嵌合可能とされている。嵌合部５２の奥端面には、雌コネクタ１０の各キャビティ１６，３２に対応した位置に雄端子金具５３が貫通状態で圧入係止されている。各雄端子金具５３は、嵌合部５２内に突出するタブ部５３Ａを備えており、各タブ部５３Ａの嵌合部５２の奥端面からの突出寸法は全て等しくされている。また、嵌合部５２の天井面における左右方向の中央には、ハウジング本体１１のロックアーム２１と係合することで雌雄両ハウジング１１，５１を正規嵌合状態でロックするためのロック受部５４が形成されている。また、嵌合部５２の左右両内側面下部には、ハウジング本体１１及びリテーナ４０の誤結防止リブ２９，４４が進入可能な誤結防止溝５５（本発明の「溝部」に相当）が前後方向に沿って形成されており、これらの誤結防止リブ２９，４４と誤結防止溝５５とにより雌コネクタ１０の誤挿入（上下反転した姿勢での挿入等）が規制されるようになっている。
【００１９】
本実施形態は以上の構成であり、次にその作用を説明する。
組み付け手順の一例を示すと、まずサブコネクタ３０の各キャビティ３２に対応する雌端子金具３１を挿入してから、一体型リテーナ３５を閉じて雌端子金具３１を抜け止め状態に二重係止する（図３参照）。
続いて、ハウジング本体１１において各リテーナ４０を仮係止位置としておき、サブコネクタ３０を収容部１２へ後方から挿入する。このとき、サブコネクタ３０を例えば上下反転した姿勢で誤挿入しようとした場合には、誤挿入防止リブ３７が収容部１２の開口縁部に引っ掛かって挿入が規制される。サブコネクタ３０の挿入が進むと、各ロック突起３８の案内面３８Ａがロック片２６に当接して、各ロック片２６が互いに外側へ撓み変形する。そして、サブコネクタ３０をその前壁３３がハウジング本体１１の前面壁１３に突き当たる正規の装着位置まで挿入すると、各ロック片２６が互いに内側へ復元変形するとともに、その係止面２６Ａがロック突起３８の被係止面３８Ｂに係合し、サブコネクタ３０が抜け止め状態になる（図９参照）。
【００２０】
次に、ハウジング本体１１の各キャビティ１６に対応する雌端子金具１５を挿入し、各リテーナ４０を仮係止位置から本係止位置へと押し込む。ここで、誤ってサブコネクタ３０が正規の装着位置まで至らない半挿入状態のままで、リテーナ４０を本係止位置へ押し込もうとした場合には、図８（Ａ）に示すように、リテーナ４０の検知リブ４３が誤挿入防止溝２３内の誤挿入防止リブ３７に突き当たり、リテーナ４０の本係止位置への押し込みが規制される。これによりサブコネクタ３０が半挿入状態であることが検知される。サブコネクタ３０が正規の装着位置に装着された状態でリテーナ４０が本係止位置へ押し込まれた場合には、図８（Ｂ）に示すように、検知リブ４３がサブコネクタ３０の誤挿入防止リブ３７に干渉することなく誤挿入防止溝２３内に進入して、リテーナ４０が本係止位置に至り、各キャビティ１６内の雌端子金具１５が抜け止め状態で二重係止される。これにより、検知リブ４３がサブコネクタ３０の誤挿入防止リブ３７の後面に係合し、サブコネクタ３０が二重に係止された状態となる。以上により、雌コネクタ１０の組み付けが完了する。
【００２１】
次に、図１，図１３に示すように、雌雄両コネクタ１０，５０を正対させ、ハウジング本体１１の誤結防止リブ２９を雄ハウジング５１の誤結防止溝５５に挿入させつつ、雌コネクタ１０を嵌合部５２内に嵌合する。ここで、リテーナ４０が正しく本係止位置に押し込まれていた場合には、ハウジング本体１１の誤結防止リブ２９とリテーナ４０の誤結防止リブ４４とが一列に整合することから、両誤結防止リブ２９，４４が雄ハウジング５１の誤結防止溝５５に進入して、嵌合が継続される。一方で、リテーナ４０を本係止位置に押し込むことを失念したり、あるいは前述のように押し込み操作を行っても、サブコネクタ３０が半挿入状態にあると検知リブ４３が誤挿入防止リブ３７に当たって押し込みができないことにより、リテーナ４０が仮係止位置に留められていることがあり得る。この状態で雌雄両コネクタ１０，５０を嵌合した場合には、図７に示すように、リテーナ４０の誤結防止リブ４４がハウジング本体１１の誤結防止リブ２９に対して位置ずれしていることから、嵌合動作の途中でリテーナ４０の誤結防止リブ４４が嵌合部５２の開口縁部に突き当たって嵌合が規制される。これにより、リテーナ４０が半挿入状態にあることが確実に検知される。
【００２２】
雌雄両コネクタ１０，５０の嵌合が深まると、雄端子金具５３のタブ部５３Ａが前壁１７のタブ挿通孔１７Ａ、あるいは前面壁１３のタブ挿通孔１３Ａ及び前壁３３のタブ挿通孔３３Ａを貫通してキャビティ１６，３２内に進入する。ここで、サブコネクタ３０に装着された雌端子金具３１は、ハウジング本体１１に装着された雌端子金具１５よりも寸法ｄだけ後方に位置することから、先にハウジング本体１１のキャビティ１６に進入したタブ部５３Ａが雌端子金具１５に挿入され、それに次いでサブコネクタ３０のキャビティ３２に進入したタブ部５３Ａが雌端子金具３１に挿入されることになる。ハウジング本体１１の雌端子金具１５にタブ部５３Ａが挿入されると、図１４に示すように、タブ部５３Ａの先端が弾性接触片１５Ａに接触した直後から、雌雄両端子金具１５，５３間に発生する挿入抵抗Ｐａが弾性接触片１５Ａの弾性復元力に起因して急激に増大しピーク値に至る。その後、挿入抵抗Ｐａは低減し、弾性接触片１５Ａの変形が止まってタブ部５３Ａと摺接する状態になると、低い値で安定するようになる。サブコネクタ３０の雌端子金具３１とタブ部５３Ａとの間に発生する挿入抵抗Ｐｂも挿入抵抗Ｐａと同様の傾向を示すが、雌端子金具３１が雌端子金具１５に対し後方に位置ずれしている分、ピーク値に至るタイミングも遅くなる。全タブ部５３Ａと全雌端子金具１５，３１との間に発生する挿入抵抗Ｐｃは、雌端子金具１５とタブ部５３Ａ間の挿入抵抗Ｐａと、雌端子金具３１とタブ部５３Ａ間の挿入抵抗Ｐｂとの合計であるから、この挿入抵抗Ｐｃのピーク値は、雌端子金具３１のタブ部５３Ａとの接触が雌端子金具１５と同じタイミングで始まると仮定した場合の仮想挿入抵抗Ｐｄ（Ｐａの倍程度の値になる）のピーク値よりも低くなる。このため、雌雄両コネクタ１０，５０間の嵌合抵抗のピーク値が低減され、嵌合作業性が向上する。
このようにして、雌コネクタ１０を嵌合部５２の奥壁に突き当たる位置まで押し込むと、図１５に示すように、ロックアーム２１がロック受部５４に係合して、雌雄両ハウジング１１，５１が正規嵌合状態にロックされる。
【００２３】
メンテナンス等において雌コネクタ１０のサブコネクタ３０をハウジング本体１１より取り外す場合には、まず各リテーナ４０を本係止位置から仮係止位置へと押し下げる。続いて、図９及び図１０に示すように、ハウジング本体１１の解除操作窓２８から先端の尖った治具Ｊを内部に挿入し、その先端を上下のロック突起３８間の溝部３９に嵌め入れ、そのまま溝部３９に沿って奥側へスライドさせる。すると、図１１（Ａ）に示すように治具Ｊの先端が、解除用突起２７の誘い込み面２７Ａとサブコネクタ３０の側面との隙間に入り込んで、誘い込み面２７Ａに当接する。ここで、治具Ｊは、一対のロック突起３８間に形成された溝部３９により解除用突起２７と当接する位置へと案内させることができるため、作業性に優れている。
そして、治具Ｊをさらに奥方へ押し込むと、ロック片２６が、解除用突起２７の誘い込み面２７Ａに案内されて、図１１（Ｂ）に示すように、サブコネクタ３０の側面から離間する側へ撓み変形し、ロック片２６の係止面２６Ａとロック突起３８の被係止面３８Ｂとの係合が解除される。こうして、左右のロック片２６の係合を解除してからサブコネクタ３０をハウジング本体１１に対して後方に引っ張ることで、サブコネクタ３０を収容部１２から抜き出すことができる。
【００２４】
以上のように、本実施形態によれば、サブコネクタ３０が半挿入状態の場合には、リテーナ４０を規制位置に組み付ける過程でサブコネクタ３０がリテーナ４０に干渉することでリテーナ４０の組み付けが規制され、サブコネクタ３０が半挿入状態であることが検知される。既存の構成であるリテーナ４０を利用するため、部品点数を増やすことなく、サブコネクタ３０の半挿入状態を検知できる。
【００２５】
また、サブコネクタ３０が半挿入状態の場合には、リテーナ４０を規制位置に組み付ける過程でサブコネクタ３０の誤挿入防止リブ３７がリテーナ４０の検知リブ４３に干渉することでリテーナ４０の組み付けが規制され、これによりサブコネクタ３０の半挿入状態を検知できる。既存の構成である誤挿入防止リブ３７及び誤結防止溝５５を利用するため、大きな設計変更をしなくて済む。
【００２６】
また、ハウジング本体１１及びリテーナ４０には、相手の嵌合部５２に設けられた誤結防止溝５５に嵌め込み可能な誤結防止リブ２９，４４がそれぞれ設けられており、リテーナ４０が規制位置にないときは、リテーナ４０の誤結防止リブ４４がハウジング本体１１の誤結防止リブ２９に対して位置ずれして、嵌合動作に伴って相手の嵌合部５２に干渉することで嵌合動作が規制される。これにより、サブコネクタ３０が半挿入状態にあるためにリテーナ４０が本係止位置に押し込まれていなかった場合等に、リテーナ４０が本係止位置にないことを確実に検知できる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、雄端子金具を収容する雄側のコネクタにも同様に適用することができる。また、本発明は、端子金具が同一種のみのものに限らず複数種のものを使用したハイブリッド形式の分割コネクタにも適用することができる。
【図面の簡単な説明】
【００２８】
【図１】本実施形態における雌雄コネクタの嵌合前の状態を示す側断面図
【図２】ハウジング本体の正面図
【図３】サブコネクタをハウジング本体に組み付ける前の状態を示す側断面図
【図４】雌コネクタの背面図
【図５】サブコネクタの正面図
【図６】（Ａ）リテーナを仮係止位置に組み付けた状態を示す部分拡大断面図  （Ｂ）リテーナを本係止位置に組み付けた状態を示す部分拡大断面図
【図７】リテーナが仮係止位置にあるときの雌雄コネクタの側断面図
【図８】（Ａ）リテーナの押し込みが規制された状態を示す側断面図  （Ｂ）リテーナが本係止位置に押し込まれた状態を示す側断面図
【図９】サブコネクタのロック解除用の治具を挿入した状態を示す平断面図
【図１０】サブコネクタのロック解除用の治具を挿入した状態を示す側断面図
【図１１】（Ａ）治具をロック片に当接させた状態を示す部分拡大平断面図  （Ｂ）治具によりロック片の係合を解除させた状態を示す部分拡大平断面図
【図１２】雄コネクタの正面図
【図１３】雌雄コネクタの嵌合前の状態を示す平断面図
【図１４】雌雄端子金具間に発生する挿入抵抗の推移を示すグラフ
【図１５】雌雄コネクタを正規嵌合した状態を示す側断面図
【符号の説明】
【００２９】
１０…雌コネクタ（分割コネクタ）
１１…ハウジング本体
１２…収容部
１５，３１…雌端子金具
１６，３２…キャビティ
２３…誤挿入防止溝
２９…誤結防止リブ
３０…サブコネクタハウジング
３７…誤挿入防止リブ
４０…リテーナ
４３…検知リブ（検知部）
４４…誤結防止リブ
５０…雄コネクタ（相手コネクタ）
５２…嵌合部
５５…誤結防止溝（溝部）
【図１】
2008226860.tif 000003
【図２】
2008226860.tif 000004
【図３】
2008226860.tif 000005
【図４】
2008226860.tif 000006
【図５】
2008226860.tif 000007
【図６】
2008226860.tif 000008
【図７】
2008226860.tif 000009
【図８】
2008226860.tif 000010
【図９】
2008226860.tif 000011
【図１０】
2008226860.tif 000012
【図１１】
2008226860.tif 000013
【図１２】
2008226860.tif 000014
【図１３】
2008226860.tif 000015
【図１４】
2008226860.tif 000016
【図１５】
2008226860.tif 000017